(57)【要約】  被調理物を出し入れするための開口を開閉可能な扉(２１)を備え、箱型に形成された筐体(２)と、筐体(２)に配置され、充電式の電動工具用バッテリ(１００)から供給される電力によって電磁波を発生するマグネトロン(４)と、を備える電子レンジ(１)が提供される。これによって、電動工具用バッテリ(１００)を電子レンジ(１)から容易に着脱する。
2018225626.tif 000002
【特許請求の範囲】
【請求項１】
開閉可能な扉を備え、箱型に形成された筐体と、  前記筐体に配置され、充電式の電動工具用バッテリから供給される電力によって電磁波を発生するマグネトロンと、  を備えることを特徴とする携帯用電磁調理装置。
【請求項２】
前記筐体に配置され、前記電動工具用バッテリを着脱可能なバッテリ取付部、  を備え、  前記マグネトロンは、前記バッテリ取付部に装着された前記電動工具用バッテリから供給される電力によって電磁波を発生する、  請求項１に記載の携帯用電磁調理装置。
【請求項３】
前記バッテリ取付部は、前記筐体の外周に配置されている、  請求項２に記載の携帯用電磁調理装置。
【請求項４】
前記バッテリ取付部は、前記筐体の側面部または上面部に配置されている、  請求項３に記載の携帯用電磁調理装置。
【請求項５】
前記筐体は、前記扉が配置された側面部において、前記扉より下方に凹部を有し、  前記バッテリ取付部は、前記凹部に配置され、  前記バッテリ取付部に装着された前記電動工具用バッテリは、前記筐体の前記側面部から突出しない、  請求項４に記載の携帯用電磁調理装置。
【請求項６】
前記バッテリ取付部は、前記凹部の開口に対して開閉可能に配置された蓋、  を備える請求項５に記載の携帯用電磁調理装置。
【請求項７】
前記バッテリ取付部と、前記バッテリ取付部に装着された前記電動工具用バッテリとを内部に収容可能なバッテリ収容部、  を備える、  請求項４に記載の携帯用電磁調理装置。
【請求項８】
バッテリ収容部は、前記バッテリを覆うカバー部材である、  請求項７に記載の携帯用電磁調理装置。
【請求項９】
前記バッテリ取付部は、前記筐体の側面部における上部または側面部における下部または上面部に配置され、  前記バッテリ取付部に装着された前記電動工具用バッテリの少なくとも一部が、前記筐体の上面部より上方または下面部より下方に突出する、  請求項４に記載の携帯用電磁調理装置。
【請求項１０】
前記バッテリ取付部は、複数の前記電動工具用バッテリを装着可能である、  請求項２から請求項９のいずれか一項に記載の携帯用電磁調理装置。
【請求項１１】
前記バッテリ取付部は、前記電動工具用バッテリをスライドすることで着脱可能である、  請求項２から請求項１０のいずれか一項に記載の携帯用電磁調理装置。
【請求項１２】
前記筐体に接続されたケーブルと、  前記ケーブルの一方の端部に接続され、前記電動工具用バッテリを着脱可能な端子部と、を有するバッテリ取付部、  を備え、  前記マグネトロンは、前記バッテリ取付部に装着された前記電動工具用バッテリから供給される電力によって電磁波を発生する、  請求項１に記載の携帯用電磁調理装置。
【請求項１３】
前記筐体に配置され、他の筐体に配置された連結部と連結可能な被連結部、  を備える請求項１から請求項１２のいずれか一項に記載の携帯用電磁調理装置。
【請求項１４】
前記筐体に配置され、前記筐体の外部と内部とを連通する通気孔と、  前記通気孔に着脱可能で、塵埃を除去するフィルタと、  を備える請求項１から請求項１３のいずれか一項に記載の携帯用電磁調理装置。
【請求項１５】
前記マグネトロンは、外周を弾性体で覆われた状態で、前記筐体に取り付けられている、  請求項１から請求項１４のいずれか一項に記載の携帯用電磁調理装置。
【請求項１６】
前記筐体の外周に配置され、操作状態と調理状態の少なくともどちらかを表示する表示部、  を備え、  前記表示部は、外周を弾性体で覆われた状態で、前記筐体に取り付けられている、  請求項１から請求項１５のいずれか一項に記載の携帯用電磁調理装置。
【請求項１７】
前記筐体の上面部に折り畳み可能に配置されたハンドル、  を備える請求項１から請求項１６のいずれか一項に記載の携帯用電磁調理装置。
【請求項１８】
前記マグネトロンに電力を供給する電源と接続可能な接続部、  を備え、  前記接続部は、商用電源と接続可能であり、  前記マグネトロンは、前記電動工具用バッテリから供給される電力、または、前記接続部を介して接続された商用電源から供給される電力によって電磁波を発生する、  請求項１から請求項１７のいずれか一項に記載の携帯用電磁調理装置。
【請求項１９】
前記マグネトロンに電力を供給する電源と接続可能な接続部、  を備え、  前記接続部は、複数の前記電動工具用バッテリを収容し、複数の前記電動工具用バッテリからの電力を出力可能な電源装置と接続可能であり、  前記マグネトロンは、前記電動工具用バッテリから供給される電力、または、前記接続部を介して接続された電源装置から供給される電力によって電磁波を発生する、  請求項１から請求項１８のいずれか一項に記載の携帯用電磁調理装置。
【請求項２０】
前記扉の開閉を検出する検出部と、  前記筐体に回転可能に配置され、前記通気孔を介して気体を所定方向に吹き出すファンと、  前記検出部が前記扉が開状態とされたことを検出すると、気体を前記筐体の内側から外側に向かって吹き出すように前記ファンを制御する制御部と、  を備える請求項１４に記載の携帯用電磁調理装置。
【請求項２１】
前記筐体の外周を覆う断熱材、  を備える請求項１から請求項２０のいずれか一項に記載の携帯用電磁調理装置。
【請求項２２】
前記電動工具用バッテリの電力の残量を表示する残量表示部、  を備える請求項１から請求項２１のいずれか一項に記載の携帯用電磁調理装置。
【請求項２３】
携帯用電子機器を接続可能な機器接続部、  を備え、  前記機器接続部は、接続された前記携帯用電子機器に搭載されたバッテリを充電する、  請求項１から請求項２２のいずれか一項に記載の携帯用電磁調理装置。
【請求項２４】
前記接続部に商用電源が接続されると、商用電源から供給される電力によって、前記電動工具用バッテリを充電するように制御する充電制御部、  を備える請求項１９に記載の携帯用電磁調理装置。
【発明の詳細な説明】
【技術分野】
【０００１】  本発明は、携帯用電磁調理装置に関する。
【背景技術】
【０００２】  例えば、建設現場や工事現場を含む作業現場や、災害時の避難場所などにおいては、電気またはガスが整備されていないことがある。このような環境では、温かい食事を摂ることは困難である。【０００３】  空洞を画定するように構成されたハウジングと、少なくとも１つのＲＦ信号を提供するように構成された半導体ＲＦ発生器と、キャビティ内に分散されて配置され、半導体ＲＦ発生器からの少なくとも１つのＲＦ信号を放射するように構成された複数のＲＦアンテナとを含むマイクロ波加熱装置に関する技術が知られている（例えば、特許文献１参照）。
【先行技術文献】
【特許文献】
【０００４】
【特許文献１】米国特許出願公開第２０１６／０２７８１７０号明細書
【発明の概要】
【発明が解決しようとする課題】
【０００５】  作業現場や避難場所などにおいては、複数人分の食事を温めることが想定される。複数人分の食事を温めるには、大きな容量のバッテリが必要である。ところが、バッテリの容量を大きくするとバッテリが大型化し、携帯用電磁調理装置の携帯性を損なうおそれがある。このため、充電式のバッテリを交換して使用することが好ましい。さらに、バッテリは、容易に着脱できることが望まれる。【０００６】  本発明の態様は、バッテリを容易に着脱することができる携帯用電磁調理装置を提供することを目的とする。
【課題を解決するための手段】
【０００７】  本発明の態様に従えば、開閉可能な扉を備え、箱型に形成された筐体と、前記筐体に配置され、充電式の電動工具用バッテリから供給される電力によって電磁波を発生するマグネトロンと、を備える携帯用電磁調理装置が提供される。
【発明の効果】
【０００８】  本発明の態様によれば、バッテリを容易に着脱することができる携帯用電磁調理装置が提供される。
【図面の簡単な説明】
【０００９】
【図１】図１は、第一実施形態に係る電子レンジの一例を示す斜視図である。
【図２】図２は、第一実施形態に係る電子レンジの一例を示す斜視図である。
【図３】図３は、第一実施形態に係る電子レンジの一例を示す斜視図である。
【図４】図４は、第一実施形態に係る電子レンジの一例を示す斜視図である。
【図５】図５は、第一実施形態に係る電子レンジの他の例を示す斜視図である。
【図６】図６は、第一実施形態に係る電子レンジのマグネトロンと弾性体との一例を示す平面図である。
【図７】図７は、第一実施形態に係る電子レンジのバッテリ取付部と電動工具用バッテリとの一例を示す平面図である。
【図８】図８は、第一実施形態に係る電子レンジに装着する電動工具用バッテリの一例を示す斜視図である。
【図９】図９は、第一実施形態に係る電子レンジを工具箱と連結した状態の一例を示す斜視図である。
【図１０】図１０は、第一実施形態に係る電子レンジを工具箱と連結する状態の一例を示す分解斜視図である。
【図１１】図１１は、第一実施形態に係る電子レンジの使用方法の一例を示すフローチャートである。
【図１２】図１２は、第二実施形態に係る電子レンジの一例を示す斜視図である。
【図１３】図１３は、第三実施形態に係る電子レンジの一例を示す斜視図である。
【図１４】図１４は、第三実施形態に係る電子レンジを工具箱と連結した状態の一例を示す斜視図である。
【図１５】図１５は、第四実施形態に係る電子レンジの一例を示す斜視図である。
【図１６】図１６は、第五実施形態に係る電子レンジの一例を示す斜視図である。
【図１７】図１７は、第五実施形態に係る電子レンジを工具箱と連結する状態の一例を示す斜視図である。
【図１８】図１８は、第五実施形態に係る電子レンジを工具箱と連結する状態の一例を示す斜視図である。
【図１９】図１９は、第六実施形態に係る電子レンジの一例を示す斜視図である。
【図２０】図２０は、第七実施形態に係る電子レンジの一例を示す機能ブロック図である。
【図２１】図２１は、第八実施形態に係る電子レンジに接続する電源装置の一例を示す斜視図である。
【図２２】図２２は、第八実施形態に係る電子レンジに接続する電源装置の一例を示す斜視図である。
【図２３】図２３は、電子レンジのバッテリ取付部の他の例を示す斜視図である。
【図２４】図２４は、電子レンジのバッテリ取付部の他の例を示す斜視図である。
【図２５】図２５は、電子レンジのバッテリ取付部の他の例を示す斜視図である。
【図２６】図２６は、電子レンジのバッテリ取付部の他の例を示す斜視図である。
【図２７】図２７は、電子レンジのバッテリ取付部の他の例を示す斜視図である。
【図２８】図２８は、電子レンジのバッテリ取付部の他の例を示す斜視図である。
【図２９】図２９は、電子レンジのバッテリ取付部の他の例を示す斜視図である。
【図３０】図３０は、電子レンジの他の例を示す斜視図である。
【発明を実施するための形態】
【００１０】  以下、本発明の実施形態について、添付図面を参照して詳細に説明する。なお、この実施形態によりこの発明が限定されるものではない。また、下記実施形態における構成要素には、当業者が置換可能かつ容易なもの、または実質的に同一のものを含む。さらに、以下に記載した構成要素は適宜組み合わせることが可能であり、また、実施形態が複数ある場合には、各実施形態を組み合わせることも可能である。
【００１１】  以下の説明においては、Ｘ軸方向を、「前後方向」とする。Ｙ軸方向を、「左右方向」とする。Ｙ軸方向とは、Ｘ軸方向に対して水平に直交する方向である。前後方向「後」側へ向かって、左手側が「左」、右手側が「右」である。Ｚ軸方向を、「上下方向」とする。Ｚ軸方向とは、Ｘ軸方向及びＹ軸方向に対して直交する方向である。
【００１２】［第一実施形態］  図１ないし図４を参照して、携帯用電磁調理装置の一例として電子レンジ１の概要について説明する。携帯用電磁調理装置は、電磁波によって被調理物を加熱調理する装置であればよく、例えば、オーブンレンジを含む他の調理装置であってもよい。図１は、第一実施形態に係る電子レンジの一例を示す斜視図である。図２は、第一実施形態に係る電子レンジの一例を示す斜視図である。図３は、第一実施形態に係る電子レンジの一例を示す斜視図である。図４は、第一実施形態に係る電子レンジの一例を示す斜視図である。電子レンジ１は、電動工具に使用する電動工具用バッテリ１００によって駆動可能である。電子レンジ１は、例えば、建設現場や工事現場を含む作業現場や、災害時の避難場所などにおいても使用可能である。
【００１３】  電子レンジ１は、筐体２と、表示操作部３と、マグネトロン４と、給気孔（通気孔）５と、排気孔（通気孔）６と、被連結部７と、バッテリ取付部８と、コントローラ１０とを備える。
【００１４】  筐体２は、箱型に形成されている。筐体２は、内部の空間である調理室に被調理物を収容する。筐体２は、前方に面しユーザと向かい合う前面部２ａと、前面部２ａと向かい合い、後方に面した後面部２ｂと、上方に面した上面部２ｃと、上面部２ｃと向かい合い、下方に面した下面部２ｄと、右方に面した右側面部２ｅと、右側面部２ｅと向かい合い、左方に面した左側面部２ｆとを有する。調理室は、前面部２ａと後面部２ｂと上面部２ｃと下面部２ｄと右側面部２ｅと左側面部２ｆとで区画されている。なお、説明のために、ユーザと向かい合う面を前面部２ａといい、前面部２ａと向かい合い、後方に面した面を後面部２ｂというが、前面部２ａと後面部２ｂとも側面部に含まれる。側面部とは、前面部２ａと後面部２ｂと右側面部２ｅと左側面部２ｆとである。
【００１５】  前面部２ａには、調理室に被調理物を出し入れするための開口２ａ１が形成されている。前面部２ａの右下部と左下部とには、被連結部７が配置された凹部２ａ２が形成されている。前面部２ａの上部には、バッテリ取付部８が配置された凹部２ａ３が形成されている。上面部２ｃの中央部には、折り畳んだハンドル２２を収容するための凹部２ｃ１が形成されている。凹部２ｃ１は、折り畳んだハンドル２２を取り出しやすいように、ハンドル２２よりも大きく形成されている。右側面部２ｅの後下部には、被連結部７が配置された凹部２ａ２が形成されている。左側面部２ｆの後下部には、被連結部７が配置された凹部２ａ２が形成されている。
【００１６】  電子レンジ１の各部材及び電子レンジ１に装着された電動工具用バッテリ１００は、前面部２ａと後面部２ｂと上面部２ｃと下面部２ｄと右側面部２ｅと左側面部２ｆとから突出しないように配置されている。言い換えると、電動工具用バッテリ１００が装着された電子レンジ１は、携帯性が損なうような凹凸を有さない。
【００１７】  筐体２は、電動工具を収納する工具箱２００（図９参照）と前後方向及び左右方向の長さが同じである。これにより、電子レンジ１と工具箱２００とは、凹凸なく積み重ねられる。
【００１８】  筐体２は、耐衝撃性を有する材料で形成されることが好ましい。これにより、電動工具や工具箱２００が筐体２に接触したり、筐体２を誤って落下させたりした際に、筐体２が損傷することが抑制される。
【００１９】  筐体２は、開閉可能な扉２１と、折り畳み可能なハンドル２２と、プラグ型の端子（接続部）２３とを有する。
【００２０】  扉２１は、開口２ａ１を開閉可能に配置されている。本実施形態では、扉２１は、ヒンジを介して前面部２ａの下部に前後に回動可能に配置されている。これにより、扉２１は、下部に配置された左右方向に沿った回転軸を中心として前後に回動可能である。扉２１が前側に傾倒して開いた状態となると、開口２ａ１が開放される。扉２１が起立して閉じた状態となると、開口２ａ１が扉２１で覆われる。扉２１を閉じた状態では、扉２１は前面部２ａから前方に突出しない。扉２１は、筐体２の左右方向の長さと同じ長さを有する。
【００２１】  ハンドル２２は、ユーザが電子レンジ１を運搬する際に把持する。ハンドル２２は、上面部２ｃの凹部２ｃ１に折り畳み可能に配置されている。ハンドル２２は、上面部２ｃに対して上下に回動可能である。ハンドル２２が上側に起立した状態では、ハンドル２２は、上面部２ｃから上方に突出する。ハンドル２２が折り畳まれた状態では、ハンドル２２は、凹部２ｃ１に収容される。凹部２ｃ１に収容されたハンドル２２は、上面部２ｃから上方に突出しない。
【００２２】  端子２３は、後面部２ｂに配置されている。端子２３は、マグネトロン４に電力を供給する電源と接続可能である。端子２３は、電子レンジ１の電源回路に接続されている。本実施形態では、端子２３は、コンセント型の端子が接続可能なプラグ型である。端子２３は、接続されたコンセント型の端子を介して、ＡＣ（Ａｌｔｅｒｎａｔｉｎｇ  Ｃｕｒｒｅｎｔ）電源（商用電源）に接続可能である。端子２３にＡＣ電源に接続されたコンセント型の端子が接続されると、電子レンジ１がＡＣ電源を電源として駆動する。
【００２３】  端子２３にＡＣ電源に接続されたコンセント型の端子が接続され、さらに、電動工具用バッテリ１００がバッテリ取付部８に装着されているとき、ＡＣ電源から供給される電力で電動工具用バッテリ１００を充電する充電制御回路（充電制御部）を電源回路が有してもよい。バッテリ取付部８に装着された電動工具用バッテリ１００がＡＣ電源から供給される電力で充電されているとき、電子レンジ１がＡＣ電源を電源として駆動可能としてもよい。
【００２４】  表示操作部３は、電子レンジ１に対する調理設定を行ったり、電子レンジ１の操作状態と調理状態の少なくともどちらかを表示したりする。操作状態とは、主電源スイッチ３１がＯＮの状態となり、操作ボタン３３に対する操作が可能になった状態である。操作状態において、表示操作部３は、例えば、設定されている調理時間や調理温度を表示する。調理状態とは、調理設定が行われた後、操作ボタン３３のスタート・ストップボタンが押下されて調理が開始された状態である。調理状態において、表示操作部３は、例えば、調理時間の残り時間を表示する。
【００２５】  表示操作部３は、表示操作部３の誤作動や損傷を抑制するため、前面部２ａに凹状に配置されている。本実施形態では、表示操作部３は、扉２１より上側に配置されている。本実施形態では、表示操作部３は、主電源スイッチ３１と、表示パネル３２と、操作ボタン３３とを含む。
【００２６】  主電源スイッチ３１は、電子レンジ１の主電源を入切する。主電源スイッチ３１は、例えば、シーソー式スイッチまたは長押しボタンである。主電源スイッチ３１がＯＦＦの状態で電動工具用バッテリ１００がバッテリ取付部８に装着されていても、電動工具用バッテリ１００から電子レンジ１の電源回路に電力は供給されない。主電源スイッチ３１がＯＮの状態で電動工具用バッテリ１００がバッテリ取付部８に装着されていると、電動工具用バッテリ１００から電子レンジ１の電源回路に電力が供給される。電子レンジ１の電源回路に電力が供給されると、表示パネル３２が点灯し、操作ボタン３３に対する操作が可能になる。
【００２７】  主電源スイッチ３０は、表示操作部３に配置されるものに限定されない。図５を参照して、主電源スイッチ３０の他の配置について説明する。図５は、第一実施形態に係る電子レンジの他の例を示す斜視図である。例えば、主電源スイッチ３０は、筐体２の右側面部２ｅの下部に形成された凹部２ｅ１に配置されていてもよい。このように、主電源スイッチ３０を表示操作部３と異なる筐体２の面部に配置することで、電子レンジ１を操作状態で運搬していた場合、主電源スイッチ３０が意図せず押下されてしまうことが規制される。
【００２８】  表示パネル３２は、電子レンジ１の操作状態と調理状態との少なくともどちらかを表示する。表示パネル３２は、例えば、液晶ディスプレイ（ＬＣＤ：Ｌｉｑｕｉｄ  Ｃｒｙｓｔａｌ  Ｄｉｓｐｌａｙ）または有機ＥＬ（Ｏｒｇａｎｉｃ  Ｅｌｅｃｔｒｏ−Ｌｕｍｉｎｅｓｃｅｎｃｅ）ディスプレイを含むディスプレイである。表示パネル３２は、コントローラ１０からの制御信号に基づいて表示を行う。表示パネル３２は、図示しない弾性体で外周を覆われている。弾性体は、電子レンジ１に作用する落下や衝突による衝撃力や振動が表示パネル３２に作用することを抑制する。表示パネル３２は、弾性体を介して筐体２に取り付けられている。弾性体は、耐熱性を有する材料、例えば、エラストマを含むゴム製のシート状の材料で形成されている。
【００２９】  操作ボタン３３は、電子レンジ１に対する調理設定を行うボタンである。本実施形態では、３つの操作ボタン３３が配置されている。操作ボタン３３は、例えば、調理を開始・停止するスタート・ストップボタンと、調理時間を長くする加算ボタンと、調理時間を短くする減算ボタンとである。操作ボタン３３は、入力された操作情報をコントローラ１０に出力する。
【００３０】  図６を参照して、マグネトロン４について説明する。図６は、第一実施形態に係る電子レンジのマグネトロンと弾性体との一例を示す平面図である。マグネトロン４は、電源から供給される電力によって電磁波を発生し、アンテナから出力する。アンテナから出力された電磁波は、調理室内の被調理物を加熱調理する。マグネトロン４は、上下方向の平面視において矩形状の箱型に形成されている。マグネトロン４は、４つの角部を４つの弾性体４１でそれぞれ囲まれている。マグネトロン４は、弾性体４１を介して筐体２に取り付けられている。
【００３１】  弾性体４１は、電子レンジ１に作用する落下や衝突による衝撃力や振動がマグネトロン４に作用することを抑制する。本実施形態では、弾性体４１は、上下方向の平面視においてＬ字型に形成されている。本実施形態では、弾性体４１は、電磁波に対する透過性または吸収性と、耐熱性とを有する材料、例えば、エラストマを含むゴム製のシート状の材料で形成されている。
【００３２】  図２に戻って、給気孔５について説明する。給気孔５は、電子レンジ１の各部材を冷却する空気の取り込み口である。給気孔５は、筐体２の外部と内部とを連通する。給気孔５は、後面部２ｂの上部に形成されている。給気孔５は、図示しないファンが回転することにより、電子レンジ１の外部の空気を筐体２の内部に取り込む。給気孔５は、防塵フィルタ（フィルタ）５１が着脱可能に配置されている。防塵フィルタ５１は、吸い込む空気から塵埃を除去する。
【００３３】  排気孔６は、電子レンジ１の各部材を冷却した空気を外部に排出する排出口である。排気孔６は、筐体２の外部と内部とを連通する。排気孔６は、左側面部２ｆの下部に形成されている。排気孔６は、図示しないファンが回転することにより、電子レンジ１の内部の空気を筐体２の外部に排出する。排気孔６は、防塵フィルタ（フィルタ）６１が着脱可能に配置されている。防塵フィルタ６１は、流入する空気から塵埃を除去する。
【００３４】  ファンが回転すると、給気孔５から電子レンジ１の外部の空気を吸い込む。そして、吸い込んだ空気は、排気孔６から電子レンジ１の外部に排出される。空気が筐体２の内部を通過する際に、電子レンジ１での調理時に高温となった各部材の外周に接触して各部材を冷却したり、筐体２の内部を通過して筐体２を冷却したりする。
【００３５】  図１に戻って、被連結部７について説明する。被連結部７は、電子レンジ１を工具箱２００と積み重ねた際に、電子レンジ１と工具箱２００とを連結する。本実施形態では、電子レンジ１を工具箱２００の上に積み重ねるものとして説明する。被連結部７は、電子レンジ１を工具箱２００の上に積み重ねた状態で、工具箱２００のロック部材（連結部）２０４（図９参照）と連結する。
【００３６】  被連結部７は、前面部２ａの右下部と、前面部２ａの左下部と、右側面部２ｅの後下部と、左側面部２ｆの後下部とに配置されている。４つの被連結部７は同様に構成されているため、前面部２ａの右下部に配置されたものについて説明する。
【００３７】  被連結部７は、前面部２ａの右下部に形成された凹部２ａ２に配置されている。被連結部７は、一対の係合凸部７１を有する。
【００３８】  係合凸部７１は、凹部２ａ２の底面から立設されている。係合凸部７１は、直方体状に形成されている。係合凸部７１は、工具箱２００のロック部材２０４の図示しない係合凹部と嵌合する形状である。係合凸部７１は、弾性変形可能な合成樹脂材で形成されている。
【００３９】  図４、図７を参照してバッテリ取付部８について説明する。図７は、第一実施形態に係る電子レンジのバッテリ取付部と電動工具用バッテリとの一例を示す平面図である。バッテリ取付部８は、電動工具用バッテリ１００が着脱可能である。
【００４０】  本実施形態では、バッテリ取付部８は、電動工具用バッテリ１００がスライドすることで着脱可能である。バッテリ取付部８は、筐体２の外周に露出した状態で配置されている。本実施形態では、バッテリ取付部８は、扉２１より上側に配置されている。本実施形態では、バッテリ取付部８は、表示操作部３の左側に配置されている。バッテリ取付部８は、筐体２の前上部に形成された凹部２ａ３に配置されている。バッテリ取付部８は、一対のガイドレール８１と、正極端子８２と、負極端子８３と、係合凹部８４とを有する。
【００４１】  一対のガイドレール８１は、電動工具用バッテリ１００の着脱方向に沿って平行に配置されている。本実施形態では、一対のガイドレール８１は、左右方向に離間し、前後方向と平行に配置されている。一対のガイドレール８１は、電動工具用バッテリ１００の一対のスライドレール１０１（図８参照）が係合する。一対のガイドレール８１は、一対のスライドレール１０１が着脱方向にスライドする際にガイドする。一対のガイドレール８１に一対のスライドレール１０１を係合し、図７における右方向である装着方向にスライドして、電動工具用バッテリ１００をバッテリ取付部８に装着する。一対のガイドレール８１に電動工具用バッテリ１００の一対のスライドレール１０１を係合し、図７における左方向である取外方向にスライドして、電動工具用バッテリ１００をバッテリ取付部８から取り外す。
【００４２】  正極端子８２は、一方のガイドレール８１の他方のガイドレール８１に面した面部に配置されている。正極端子８２は、電動工具用バッテリ１００がバッテリ取付部８に装着された状態で、電動工具用バッテリ１００の正極端子１０２（図８参照）と接触する。正極端子８２は、コントローラ１０に接続されている。
【００４３】  負極端子８３は、他方のガイドレール８１の一方のガイドレール８１に面した面部に正極端子８２と向かい合って配置されている。負極端子８３は、正極端子８２と平行に配置されている。負極端子８３は、電動工具用バッテリ１００がバッテリ取付部８に装着された状態で、電動工具用バッテリ１００の負極端子１０３（図８参照）と接触する。負極端子８３は、コントローラ１０に接続されている。
【００４４】  バッテリ取付部８に電動工具用バッテリ１００が装着され、かつ、主電源スイッチ３１がＯＮであると、正極端子８２と負極端子８３とが電源回路に電気的に接続される。このようにして、電動工具用バッテリ１００から電子レンジ１の電源回路に電力が供給される。
【００４５】  係合凹部８４は、凹部２ａ３の底面より下方に凹状に形成されている。係合凹部８４は、一対のガイドレール８１より装着方向の手前側、図７における左側に配置されている。係合凹部８４は、電動工具用バッテリ１００がバッテリ取付部８に装着された状態で、電動工具用バッテリ１００の係合凸部１０４（図８参照）と係合する。係合凹部８４と係合凸部１０４とが係合すると、電動工具用バッテリ１００がバッテリ取付部８に装着された状態でロックされる。言い換えると、係合凹部８４と係合凸部１０４とが係合すると、電動工具用バッテリ１００を取外方向にスライドすることが規制される。
【００４６】  バッテリ取付部８は、一対のガイドレール８１と正極端子８２と負極端子８３と係合凹部８４とを有するものとして説明したが、これに限定されない。バッテリ取付部８は、筐体２に接続された図示しないケーブルと、ケーブルの一方の端部に接続され、電動工具用バッテリ１００を着脱可能な図示しないターミナル（端子部）とを有するものであってもよい。
【００４７】  図１に戻って、コントローラ１０について説明する。コントローラ１０は、演算処理を行うＣＰＵ（Ｃｅｎｔｒａｌ  Ｐｒｏｃｅｓｓｉｎｇ  Ｕｎｉｔ）と、プログラムを格納したメモリとを備える。コントローラ１０は、電子レンジ１に電力を供給する電源回路等も含む。コントローラ１０は、電子レンジ１の動作を制御する。コントローラ１０は、操作ボタン３３が出力した制御信号に基づいて、電子レンジ１の各部材に対して制御信号を出力する。
【００４８】  図８を参照して、電動工具用バッテリ１００について説明する。図８は、第一実施形態に係る電子レンジに装着する電動工具用バッテリの一例を示す斜視図である。電動工具用バッテリ１００は、携帯用の電動工具の電源である。電動工具用バッテリ１００は、電気的に接続された複数のリチウムイオン電池セルが内臓されている。電動工具用バッテリ１００は、図示しない充電器で充電して繰り返し使用することが可能である。電動工具用バッテリ１００は、例えば、電圧が０．８Ｖ、１４．４Ｖ、１８Ｖ、１３６Ｖである。電動工具用バッテリ１００は、スライドすることでバッテリ取付部８に着脱可能である。
【００４９】  電動工具用バッテリ１００は、一対のスライドレール１０１と、正極端子１０２と、負極端子１０３と、係合凸部１０４と、解除ボタン１０５とを有する。
【００５０】  一対のスライドレール１０１は、バッテリ取付部８の一対のガイドレール８１に沿ってスライドして、電動工具用バッテリ１００をバッテリ取付部８に着脱する。一対のスライドレール１０１は、平行に配置されている。一対のスライドレール１０１は、一対のガイドレール８１に係合しながらガイドされてスライドする。一対のスライドレール１０１を一対のガイドレール８１に係合し装着方向にスライドして電動工具用バッテリ１００をバッテリ取付部８に装着する。一対のスライドレール１０１を一対のガイドレール８１に係合し取外方向にスライドして電動工具用バッテリ１００をバッテリ取付部８から取り外す。
【００５１】  正極端子１０２は、一対のスライドレール１０１の間に配置されている。正極端子１０２は、電動工具用バッテリ１００がバッテリ取付部８に装着された状態で、バッテリ取付部８の正極端子８２と接触する。
【００５２】  負極端子１０３は、一対のスライドレール１０１の間に正極端子１０２と向かい合って配置されている。負極端子１０３は、正極端子１０２と平行に配置されている。負極端子１０３は、電動工具用バッテリ１００がバッテリ取付部８に装着された状態で、バッテリ取付部８の負極端子８３と接触する。
【００５３】  係合凸部１０４は、電動工具用バッテリ１００の外周面に凸状に形成されている。係合凸部１０４は、一対のスライドレール１０１より装着方向の手前側、図８における右側に配置されている。係合凸部１０４は、電動工具用バッテリ１００がバッテリ取付部８に装着された状態で、バッテリ取付部８の係合凹部８４と係合する。
【００５４】  解除ボタン１０５は、係合凸部１０４と係合凹部８４との係合を解除する。解除ボタン１０５は、電動工具用バッテリ１００の外周面の装着方向の手前側の面に配置されている。解除ボタン１０５が押下されて係合凸部１０４と係合凹部８４との係合が解除されると、電動工具用バッテリ１００を取外方向にスライドすることが可能になる。言い換えると、一対のスライドレール１０１を一対のガイドレール８１に沿って取外方向にスライドして、電動工具用バッテリ１００をバッテリ取付部８から取り外すことが可能になる。
【００５５】  次に、図９、図１０を参照して、このように構成された電子レンジ１を運搬する際に工具箱２００と連結する方法と作用とについて説明する。図９は、第一実施形態に係る電子レンジを工具箱と連結した状態の一例を示す斜視図である。図１０は、第一実施形態に係る電子レンジを工具箱と連結する状態の一例を示す分解斜視図である。
【００５６】  まず、工具箱２００について説明する。工具箱２００は、電動工具を収容する。工具箱２００は、本体部（他の筐体）２０１と、本体部２０１に対して開閉する蓋２０２と、ハンドル２０３と、ロック部材２０４と、被連結部２０５とを有する。
【００５７】  本体部２０１は、開口した箱型に形成されている。本体部２０１は、電子レンジ１の筐体２と前後方向及び左右方向の長さが同じである。本体部２０１は、内部の空間に電動工具を収容する。本体部２０１は、前面部の右上部と左上部とに、ロック部材２０４が配置された凹部２０１ａが形成されている。本体部２０１は、前面部の右下部と左下部とに、被連結部２０５が配置された凹部２０１ｂが形成されている。本体部２０１は、右側面部及び左側面部の後上部に、ロック部材２０４が配置された凹部２０１ａが形成されている。本体部２０１は、右側面部及び左側面部の後下部に、被連結部２０５が配置された凹部２０１ｂが形成されている。
【００５８】  蓋２０２は、本体部２０１の上面部の開口を開閉可能に配置されている。蓋２０２を閉じた状態で本体部２０１の４つの凹部２０１ａと連通する位置に、凹部２０２ａがそれぞれ形成されている。４つの凹部２０２ａは、蓋２０２を閉じた状態で、本体部２０１の４つの凹部２０１ａとそれぞれ連なる。
【００５９】  ハンドル２０３は、本体部２０１の上面部に形成された凹部に折り畳み可能に配置されている。ハンドル２０３は、本体部２０１の上面部に対して上下に回動可能である。ハンドル２０３は、折り畳まれた状態では、凹部に収容される。凹部に収容されたハンドル２０３は、本体部２０１の上面部から上方に突出しない。
【００６０】  ロック部材２０４は、本体部２０１に対して蓋２０２が閉じた状態で蓋２０２の開閉をロックする。ロック部材２０４は、本体部２０１の前面部の右上部と、本体部２０１の前面部の左上部と、本体部２０１の右側面部の後上部と、本体部２０１の左側面部の後上部とに配置されている。４つのロック部材２０４は同様に構成されているため、本体部２０１の前面部の右上部に配置されたものについて説明する。
【００６１】  ロック部材２０４は、本体部２０１の前面部の右上部に形成された凹部２０１ａに配置されている。ロック部材２０４は、凹部２０１ａに対して上下方向に移動可能、かつ、前後方向に回動可能である。ロック部材２０４は、弾性変形可能な合成樹脂材で形成されている。ロック部材２０４は、蓋２０２をロックした状態では、凹部２０１ａに収容される。凹部２０１ａに収容されたロック部材２０４は、本体部２０１の前面部から前方に突出しない。ロック部材２０４は、一対の係合凸部２０４１と、一対の係合凸部２０４２と、図示しない一対の係合凹部とを有する。
【００６２】  係合凸部２０４１は、凹部２０１ａの底面から立設されている。係合凸部２０４１は、係合凸部７１と同様に形成されている。
【００６３】  係合凸部２０４２は、凹部２０２ａの底面から立設されている。係合凸部２０４２は、係合凸部７１と同様に形成されている。
【００６４】  一対の係合凹部は、ロック部材２０４の後面に、上下に並んで２組配置されている。係合凹部は、係合凸部２０４１と係合凸部２０４２と嵌合する大きさ、形状である。係合凹部は、工具箱２００と電子レンジ１とを積み重ねた際に、電子レンジ１の係合凸部７１と嵌合する大きさ、形状である。蓋２０２を閉じた状態で、ロック部材２０４を下側に位置付けて後方に押し込むと、下側の係合凹部と係合凸部２０４１とが嵌合し、上側の係合凹部と係合凸部２０４２とが嵌合する。このようにして、ロック部材２０４は、蓋２０２を閉じた状態でロックする。ロック状態のロック部材２０４を前方に引いて傾倒すると、下側の係合凹部と係合凸部２０４１との嵌合と、上側の係合凹部と係合凸部２０４２との嵌合とが解除されて、蓋２０２がロック解除されて回動可能になる。
【００６５】  被連結部２０５は、他の工具箱２００の上に工具箱２００を積み重ねた際に、他の工具箱２００と連結する。被連結部２０５は、他の工具箱２００のロック部材２０４と連結する。被連結部２０５は、本体部２０１の前面部の右下部と、本体部２０１の前面部の左下部と、本体部２０１の右側面部の後下部と、本体部２０１の左側面部の後下部とに配置されている。４つの被連結部２０５は同様に構成されているため、本体部２０１の前面部の右下部に配置されたものについて説明する。
【００６６】  被連結部２０５は、本体部２０１の前面部の右下部に形成された凹部２０１ｂに配置されている。被連結部２０５は、一対の係合凸部２０５１を有する。
【００６７】  係合凸部２０５１は、凹部２０１ｂの底面から立設されている。係合凸部２０５１は、係合凸部７１と同様に形成されている。
【００６８】  つづいて、電子レンジ１と工具箱２００との連結について説明する。上記のように構成された工具箱２００の蓋２０２を閉じた状態で、工具箱２００の上に電子レンジ１を積み重ねる。そして、ロック部材２０４を上側に位置付けて後方に押し込む。ロック部材２０４の下側の係合凹部と工具箱２００の係合凸部２０４２とが嵌合し、ロック部材２０４の上側の係合凹部と電子レンジ１の係合凸部７１とが嵌合する。このようにして、ロック部材２０４は、積み重ねた電子レンジ１と工具箱２００とを連結した状態でロックする。
【００６９】  電子レンジ１と工具箱２００とは前後方向及び左右方向の長さが同じであるので、凹凸がなく積み重ねられる。このように電子レンジ１と工具箱２００とを連結した状態でロックすることで、運搬が容易になる。
【００７０】  さらに、電子レンジ１と工具箱２００とはトローリ３００上に載置することで、より運搬が容易になる。
【００７１】  そして、ロック状態のロック部材２０４を前方に引いて傾倒すると、ロック部材２０４の下側の係合凹部と係合凸部２０４２の嵌合と、ロック部材２０４の上側の係合凹部と係合凸部７１の嵌合とが解除されて、電子レンジ１と工具箱２００との連結が解除される。このようにして、電子レンジ１及び工具箱２００がそれぞれ移動可能になる。
【００７２】  次に、図１１を参照して、このように構成された電子レンジ１の使用方法と作用とについて説明する。図１１は、第一実施形態に係る電子レンジの使用方法の一例を示すフローチャートである。
【００７３】  まず、ユーザは、電子レンジ１のバッテリ取付部８に電動工具用バッテリ１００をスライドして装着する（ステップＳ１）。この状態では、電動工具用バッテリ１００から電子レンジ１の電源回路に電力は供給されない。このため、操作ボタン３３が誤って操作されたとしても、電子レンジ１が不用意に動作してしまうことが規制される。
【００７４】  そして、ユーザは、主電源スイッチ３１をＯＮにする（ステップＳ２）。これにより、主電源スイッチ３１がＯＮの状態となり、電子レンジ１の電源回路に電動工具用バッテリ１００から電力が供給される。そして、表示パネル３２が点灯し、操作ボタン３３に対する操作が可能になる。
【００７５】  そして、ユーザは、調理設定を行う（ステップＳ３）。より詳しくは、ユーザは、操作ボタン３３の加算ボタンまたは減算ボタンを操作して加熱時間を設定する。そして、ユーザは、操作ボタン３３のスタート・ストップボタンを押下する。操作ボタン３３は、操作内容をコントローラ１０に出力する。ステップＳ３のとき、電子レンジ１は、操作状態である。
【００７６】  そして、電子レンジ１は調理を開始する（ステップＳ４）。より詳しくは、コントローラ１０は、スタート・ストップボタンが押下されたことを検出すると、マグネトロン４に対して高電圧の供給を開始し、調理を開始する。コントローラ１０は、加熱時間が経過すると、調理を停止する。このようにして、電子レンジ１は、調理室内の被調理物を調理設定にしたがって加熱調理する。ステップＳ４のとき、電子レンジ１は、調理状態である。
【００７７】  以上説明したように、本実施形態によれば、電子レンジ１のバッテリ取付部８に電動工具用バッテリ１００をスライドして装着する。本実施形態は、電動工具用バッテリ１００を容易に着脱することができる。これにより、本実施形態は、例えば、ユーザが作業用の手袋などを着用していても、電動工具用バッテリ１００を容易に着脱することができる。また、本実施形態は、工具を使用せずに、電動工具用バッテリ１００を容易に着脱することができる。これにより、本実施形態は、例えば、避難場所において電動工具の取り扱いに不慣れなユーザが使用する場合であっても、電動工具用バッテリ１００を容易に着脱することができる。
【００７８】  例えば、作業現場で使用する場合、ユーザは複数の電動工具用バッテリ１００を携帯していることが多い。このように電動工具用バッテリ１００が複数ある場合、本実施形態によれば、電動工具用バッテリ１００のバッテリ残量が少なくなった場合、充電済みの電動工具用バッテリ１００と交換して使用することができる。本実施形態は、電動工具用バッテリ１００の容量に制限されず、使用することができる。このようにして、本実施形態によれば、作業現場や避難場所などにおいて、複数人分の食事を温めることができる。
【００７９】  本実施形態は、電子レンジ１のバッテリ取付部８が筐体２の外周に露出した状態で配置されている。これにより、本実施形態は、電動工具用バッテリ１００を容易に着脱することができる。
【００８０】  本実施形態は、ロック部材２０４によって、積み重ねた電子レンジ１と工具箱２００とを連結した状態でロックすることができる。本実施形態によれば、電子レンジ１を工具箱２００と積み重ねた状態で容易に運搬することができる。
【００８１】  しかも、電子レンジ１と工具箱２００とは前後方向及び左右方向の長さが同じであるので、凹凸がなく積み重ねることができる。本実施形態は、電子レンジ１をより容易に運搬することができる。
【００８２】  本実施形態は、ハンドル２２を含む電子レンジ１の各部材及び装着した電動工具用バッテリ１００が、筐体２の外周面から突出しないように配置されている。本実施形態は、携帯性をよくすることができる。さらに、本実施形態は、運搬時や作業現場や避難場所などにおいて、電子レンジ１の各部材や電動工具用バッテリ１００が衝突して損傷することを抑制することができる。
【００８３】  本実施形態は、給気孔５に防塵フィルタ５１が着脱可能に配置され、排気孔６に防塵フィルタ６１が着脱可能に配置されている。本実施形態によれば、筐体２の内部に流入する空気から塵埃を除去することができる。これにより、本実施形態は、塵埃の多い環境でも適切に使用することができる。
【００８４】  本実施形態は、マグネトロン４が弾性体４１を介して筐体２に取り付けられている。本実施形態によれば、弾性体４１によって、電子レンジ１に作用する落下や衝突による衝撃力や振動がマグネトロン４に作用することを抑制することができる。これにより、本実施形態は、作業現場や避難場所などに運搬して使用することができる。
【００８５】  本実施形態は、表示パネル３２が弾性体を介して筐体２に取り付けられている。本実施形態によれば、弾性体によって、電子レンジ１に作用する落下や衝突による衝撃力や振動が表示パネル３２に作用することを抑制することができる。これにより、本実施形態は、作業現場や避難場所などに運搬して使用することができる。
【００８６】［第二実施形態］  図１２を参照しながら、本実施形態に係る電子レンジ１Ｈについて説明する。図１２は、第二実施形態に係る電子レンジの一例を示す斜視図である。電子レンジ１Ｈは、基本的な構成は第一実施形態の電子レンジ１と同様である。以下の説明においては、電子レンジ１と同様の構成要素には、同一の符号または対応する符号を付し、その詳細な説明は省略する。
【００８７】  電子レンジ１Ｈは、バッテリ取付部８Ｈが、筐体２Ｈの前面部２Ｈａの下部に配置されている点で電子レンジ１と異なる。
【００８８】  扉２１Ｈは、ヒンジを介して前面部２Ｈａの左側に左右に回動可能に配置されている。これにより、扉２１Ｈは、左側に配置された上下方向に沿った回転軸を中心として左右に回動可能である。
【００８９】  凹部２５は、前面部２Ｈａから後側に向かう凹状に形成されている。凹部２５は、バッテリ取付部８Ｈに装着された電動工具用バッテリ１００を収容可能な形状、大きさに形成されている。
【００９０】  表示操作部３Ｈは、扉２１Ｈの側方、本実施形態では、右側に配置されている。
【００９１】  バッテリ取付部８Ｈは、前面部２Ｈａの下部に凹状に形成された凹部２５に配置されている。バッテリ取付部８Ｈは、扉２１Ｈの下部に配置されている。本実施形態では、バッテリ取付部８Ｈは、電動工具用バッテリ１００を前方からスライドして装着可能である。バッテリ取付部８Ｈは、複数の電動工具用バッテリ１００を装着可能である。本実施形態では、バッテリ取付部８Ｈは、２つの電動工具用バッテリ１００を取り付け可能である。バッテリ取付部８Ｈに装着された２つの電動工具用バッテリ１００は、直列に接続されている。
【００９２】  さらに、バッテリ取付部８Ｈは、凹部２５の開口に対して開閉可能に配置された図示しない蓋を有していてもよい。例えば、蓋は、ヒンジを介して前面部２Ｈａに左右に回動可能に配置され、前面部２Ｈａに配置された上下方向に沿った回転軸を中心として左右に回動可能に形成されてもよい。蓋を開いた状態で、バッテリ取付部８Ｈに対して電動工具用バッテリ１００が装着可能である。蓋を閉じた状態では、バッテリ取付部８Ｈに装着された電動工具用バッテリ１００が覆われる。
【００９３】  本実施形態は、バッテリ取付部８Ｈが調理室より下部に配置されている。本実施形態では、バッテリ取付部８Ｈ及び電動工具用バッテリ１００が、調理時に生じる熱によって影響を受けることを低減することができる。
【００９４】  本実施形態は、バッテリ取付部８Ｈを前面部２Ｈａにおける下部に配置することで、電子レンジ１Ｈの重心が下がる。本実施形態によれば、電子レンジ１Ｈを安定した姿勢で載置することができる。
【００９５】  本実施形態は、バッテリ取付部８Ｈに蓋を配置することにより、バッテリ取付部８Ｈ及び電動工具用バッテリ１００を水や塵埃から保護することができる。
【００９６】［第三実施形態］  図１３、図１４を参照しながら、本実施形態に係る電子レンジ１Ｊについて説明する。図１３は、第三実施形態に係る電子レンジの一例を示す斜視図である。図１４は、第三実施形態に係る電子レンジを工具箱と連結した状態の一例を示す斜視図である。電子レンジ１Ｊは、基本的な構成は第一実施形態の電子レンジ１と同様である。
【００９７】  電子レンジ１Ｊは、バッテリ取付部８Ｊが、筐体２Ｊの側面部上または上面部上に配置されている点で電子レンジ１と異なる。言い換えると、電子レンジ１Ｊは、バッテリ取付部８Ｊに装着された電動工具用バッテリ１００が、筐体２Ｊの側面部または上面部から突出する点で電子レンジ１と異なる。
【００９８】  扉２１Ｊは、筐体２Ｊが被連結部７を有していない場合、筐体２Ｊの上下方向の高さと同じ高さに形成してもよい。
【００９９】  バッテリ取付部８Ｊは、筐体２Ｊの右側面部２Ｊｅに配置されている。バッテリ取付部８Ｊは、電動工具用バッテリ１００を取り外して露出した状態において保護されるように、右側面部２Ｊｅより数ｍｍ程度凹んで配置されていることが好ましい。バッテリ取付部８Ｊは、右側面部２Ｊｅにおいて下部に配置されている。本実施形態では、バッテリ取付部８Ｊは、電動工具用バッテリ１００を上方からスライドして装着可能である。バッテリ取付部８Ｊは、複数の電動工具用バッテリ１００を装着可能である。本実施形態では、バッテリ取付部８Ｊは、２つの電動工具用バッテリ１００を取り付け可能である。バッテリ取付部８Ｊは、一対のガイドレール８１と正極端子８２と負極端子８３と係合凹部８４とを２組有する。
【０１００】  電動工具用バッテリ１００は、バッテリ取付部８Ｊに装着された状態で、筐体２Ｊの右側面部２Ｊｅから側方に突出する。
【０１０１】  電動工具用バッテリ１００がバッテリ取付部８Ｊから取り外されると、筐体２Ｊは、工具箱２００と前後方向及び左右方向の長さが同じである。これにより、図１４に示すように、電動工具用バッテリ１００がバッテリ取付部８Ｊから取り外されると、電子レンジ１Ｊと工具箱２００とは、凹凸なく積み重ねられる。
【０１０２】  本実施形態は、図１に示すように、バッテリ取付部８が扉２１より上側に配置された場合に比べて、筐体２Ｊの上下方向の長さを短くすることができる。本実施形態によれば、電子レンジ１Ｊを小型化することができる。
【０１０３】  本実施形態は、バッテリ取付部８Ｊを右側面部２Ｊｅにおける下部に配置することで、電子レンジ１Ｊの重心が下がる。本実施形態によれば、電子レンジ１Ｊを安定した姿勢で載置することができる。
【０１０４】  本実施形態は、電動工具用バッテリ１００がバッテリ取付部８Ｊから取り外されると、電子レンジ１Ｊと工具箱２００とを、凹凸なく積み重ねることができる。これにより、本実施形態は、作業現場や避難場所などへの運搬を容易にすることができる。
【０１０５】［第四実施形態］  図１５を参照しながら、本実施形態に係る電子レンジ１Ｋについて説明する。図１５は、第四実施形態に係る電子レンジの一例を示す斜視図である。電子レンジ１Ｋは、基本的な構成は第三実施形態の電子レンジ１Ｊと同様である。
【０１０６】  電子レンジ１Ｋは、バッテリ取付部８Ｋと、バッテリ取付部８Ｋに装着された電動工具用バッテリ１００とを内部に収容するバッテリ収容部８９Ｋを有する点で電子レンジ１Ｊと異なる。
【０１０７】  バッテリ収容部８９Ｋは、バッテリ取付部８Ｋと、バッテリ取付部８Ｋに装着された電動工具用バッテリ１００とを覆うカバーである。バッテリ収容部８９Ｋは、バッテリ取付部８Ｋと電動工具用バッテリ１００とを内部に収容可能な箱状に形成されている。バッテリ収容部８９Ｋは、蓋８９Ｋａを有する。本実施形態では、蓋８９Ｋａは、ヒンジを介して右側面部２Ｋｅに上下に回動可能に配置されている。これにより、蓋８９Ｋａは、右側面部２Ｋｅに配置された前後方向に沿った回転軸を中心として上下に回動可能である。
【０１０８】  本実施形態は、バッテリ取付部８Ｋと電動工具用バッテリ１００とをバッテリ収容部８９Ｋに収容する。本実施形態によれば、バッテリ取付部８Ｋと電動工具用バッテリ１００とを、水または粉じんから保護することができる。
【０１０９】［第五実施形態］  図１６ないし図１８を参照しながら、本実施形態に係る電子レンジ１Ｌについて説明する。図１６は、第五実施形態に係る電子レンジの一例を示す斜視図である。図１７は、第五実施形態に係る電子レンジを工具箱と連結する状態の一例を示す斜視図である。図１８は、第五実施形態に係る電子レンジを工具箱と連結する状態の一例を示す斜視図である。電子レンジ１Ｌは、基本的な構成は第三実施形態の電子レンジ１Ｊと同様である。
【０１１０】  電子レンジ１Ｌは、バッテリ取付部８Ｌの位置が電子レンジ１Ｊと異なる。より詳しくは、電子レンジ１Ｌは、バッテリ取付部８Ｌが、筐体２Ｌの側面部における上部または下部に配置されている点と、バッテリ取付部８Ｌに装着された電動工具用バッテリ１００の少なくとも一部が、筐体２Ｌの側面部より上方または下方に突出する点とが、電子レンジ１Ｊと異なる。
【０１１１】  バッテリ取付部８Ｌは、第三実施形態よりも右側面部２Ｌｅにおいて上側に配置されている。バッテリ取付部８Ｌは、装着された電動工具用バッテリ１００の少なくとも一部が、筐体２Ｌの側面より上方または下方に突出する位置に配置されている。本実施形態では、バッテリ取付部８Ｌは、装着された電動工具用バッテリ１００の上部が、筐体２Ｌの右側面部２Ｌｅより上方に突出する位置に配置されている。バッテリ取付部８Ｌは、筐体２Ｌの右側面部２Ｌｅより上方に突出しない位置に配置されている。
【０１１２】  電動工具用バッテリ１００は、バッテリ取付部８Ｌに装着された状態で、少なくとも一部が、筐体２Ｌの側面より突出する。本実施形態では、電動工具用バッテリ１００は、バッテリ取付部８Ｌに装着された状態で、電動工具用バッテリ１００の上部が、筐体２Ｌの右側面部２Ｌｅより上方に突出する。
【０１１３】  図１７に示すように、電動工具用バッテリ１００がバッテリ取付部８Ｌに装着された状態では、電子レンジ１Ｌの上側に工具箱２００を重ねようとすると、電動工具用バッテリ１００が干渉して、重ねることが難しい。
【０１１４】  図１８に示すように、電動工具用バッテリ１００がバッテリ取付部８Ｌから取り外されると、電子レンジ１Ｌの上側に工具箱２００が積み重ねられる。
【０１１５】  本実施形態は、電動工具用バッテリ１００がバッテリ取付部８Ｌに装着された状態では、電子レンジ１Ｌの上側に工具箱２００を積み重ねることが難しい。これにより、本実施形態によれば、電子レンジ１Ｌの使用時に、電子レンジ１Ｌの上側に工具箱２００が重ねられることを規制することができる。これにより、本実施形態は、安全性をより高めることができる。
【０１１６】  本実施形態は、電動工具用バッテリ１００がバッテリ取付部８Ｌから取り外されると、電子レンジ１Ｌの上側に工具箱２００を積み重ねることができる。
【０１１７】［第六実施形態］  図１９を参照しながら、本実施形態に係る電子レンジ１Ｍについて説明する。図１９は、第六実施形態に係る電子レンジの一例を示す斜視図である。電子レンジ１Ｍは、基本的な構成は第三実施形態の電子レンジ１Ｊと同様である。
【０１１８】  電子レンジ１Ｍは、バッテリ取付部８Ｍの位置が電子レンジ１Ｊと異なる。
【０１１９】  バッテリ取付部８Ｍは、筐体２Ｍの上面部２Ｍｃに配置されている。本実施形態では、バッテリ取付部８Ｍは、電動工具用バッテリ１００を前方からスライドして装着可能である。
【０１２０】  本実施形態によれば、電子レンジ１Ｍの使用時に、電子レンジ１Ｍの上側に工具箱２００が重ねられたり、電動工具などが載置されたりすることを規制することができる。
【０１２１】  本実施形態は、電動工具用バッテリ１００がバッテリ取付部８Ｍから取り外されると、電子レンジ１Ｍの上側に工具箱２００を積み重ねることができる。
【０１２２】［第七実施形態］  図２０を参照しながら、本実施形態に係る電子レンジ１について説明する。図２０は、第七実施形態に係る電子レンジの一例を示す機能ブロック図である。電子レンジ１は、基本的な構成は第一実施形態の電子レンジ１と同様である。
【０１２３】  電子レンジ１は、扉２１が開状態とされるとファンの回転方向を変える点で第一実施形態の電子レンジ１と異なる。電子レンジ１の通常の調理時におけるファンの回転方向を正方向とする。
【０１２４】  コントローラ１０は、検出部１１と、制御部１２とを有する。
【０１２５】  検出部１１は、扉２１の開状態を検出する扉センサから検出結果を受け取る。検出部１１は、検出結果を制御部１２に出力する。
【０１２６】  制御部１２は、検出部１１からの検出結果に基づいて、扉２１が開状態であるか否かを判定する。制御部１２は、扉２１が開状態であると判定した場合、ファンに対して正方向とは反対の逆方向に回転する制御信号を出力する。ファンが逆方向に回転すると、筐体２の内部から外部に向かって空気が吹き出す。これにより、外部の空気に塵埃が多い場所で電子レンジ１を使用する場合であっても、筐体２の内部に塵埃が流入することを抑制する。
【０１２７】  制御部１２は、扉２１が開状態と判定した後、開状態ではなくなったと判定した場合、ファンに対して回転を停止する制御信号を送信する。
【０１２８】  本実施形態によれば、扉２１が開状態のとき、ファンが逆方向に回転する。そして、本実施形態によれば、ファンが逆方向に回転すると、筐体２の内部から外部に向かって空気が吹き出す。これにより、本実施形態は、外部の空気に塵埃が多い場所で電子レンジ１を使用する場合であっても、筐体２の内部に塵埃が流入することを抑制することができる。これにより、本実施形態は、被調理物に塵埃が付着することを抑制することができる。また、本実施形態は、筐体２の内部の各部材に塵埃が付着することを抑制することができる。このように、本実施形態は、作業現場や避難場所などでも適切に使用することができる。
【０１２９】［第八実施形態］  図２１、図２２を参照しながら、本実施形態に係る電子レンジ１について説明する。図２１は、第八実施形態に係る電子レンジに接続する電源装置の一例を示す斜視図である。図２２は、第八実施形態に係る電子レンジに接続する電源装置の一例を示す斜視図である。電子レンジ１は、基本的な構成は第一実施形態の電子レンジ１と同様である。
【０１３０】  電子レンジ１は、複数の電動工具用バッテリ１００を収容し、複数の電動工具用バッテリ１００の電力を出力可能な電源装置１１０と接続可能である点で第一実施形態の電子レンジ１と異なる。
【０１３１】  電源装置１１０は、大きな電力を要する電動工具に電力を供給する。電源装置１１０は、工具箱２００と同様に構成された箱１１１の内部に、複数の電動工具用バッテリ１００を収容する。電源装置１１０は、工具箱２００と同様に、電子レンジ１及び工具箱２００と積み重ねて連結することが可能である。電源装置１１０は、収容した複数の電動工具用バッテリ１００の電力を出力するコンセント型の端子１１２を有する。端子１１２は、筐体２の端子２３に接続可能である。
【０１３２】  電子レンジ１は、筐体２の端子２３に電源装置１１０の端子１１２が接続されると、電源装置１１０を電源として駆動する。
【０１３３】  本実施形態によれば、電源装置１１０を使用することで、バッテリの容量を大きくすることができる。これにより、本実施形態は、電動工具用バッテリ１００の交換回数を低減することができる。
【０１３４】  しかも、電源装置１１０は工具箱２００と同様に電子レンジ１を積み重ねて連結することができる。このため、本実施形態によれば、電子レンジ１と連結して、携帯性を損なわずに容易に運搬することができる。
【０１３５】  バッテリ取付部８は筐体２の外周に露出した状態で配置されていればよく、上記で説明した位置に限定されない。図２３ないし図２９を参照して、バッテリ取付部８の他の配置について説明する。図２３は、電子レンジのバッテリ取付部の他の例を示す斜視図である。図２４は、電子レンジのバッテリ取付部の他の例を示す斜視図である。図２５は、電子レンジのバッテリ取付部の他の例を示す斜視図である。図２６は、電子レンジのバッテリ取付部の他の例を示す斜視図である。図２７は、電子レンジのバッテリ取付部の他の例を示す斜視図である。図２８は、電子レンジのバッテリ取付部の他の例を示す斜視図である。図２９は、電子レンジのバッテリ取付部の他の例を示す斜視図である。
【０１３６】  電子レンジ１Ａは、バッテリ取付部８Ａが、筐体２Ａの前側の右下部に形成された凹部２Ａａ３に配置されている点で電子レンジ１と異なる。バッテリ取付部８Ａは、扉２１Ａの右側に配置されている。バッテリ取付部８Ａは、表示操作部３Ａの下側に配置されている。バッテリ取付部８Ａをこのように配置することで、筐体２Ａの上下方向の長さを短くすることができる。
【０１３７】  電子レンジ１Ｂは、バッテリ取付部８Ｂの向きが電子レンジ１Ａと異なる。バッテリ取付部８Ｂは、図示しない一対のガイドレールが、上下方向に離間し、前後方向と平行に配置されている。
【０１３８】  電子レンジ１Ｃは、バッテリ取付部８Ｃが、２つの電動工具用バッテリ１００を装着可能である点で電子レンジ１と異なる。バッテリ取付部８Ｃは、筐体２Ｃの前側の下部に形成された凹部２Ｃａ３に配置されている。バッテリ取付部８Ｃは、扉２１Ｃの下側に配置されている。表示操作部３Ｃは、扉２１Ｃの右側に配置されている。バッテリ取付部８Ｃをこのような構成とすることで、バッテリの容量を大きくすることができる。これにより、電動工具用バッテリ１００の交換回数を低減することができる。また、表示操作部３Ｃの上下方向の長さを長くすることができる。
【０１３９】  電子レンジ１Ｄは、バッテリ取付部８Ｄが、筐体２Ｄの右側面部の下部に形成された凹部２Ｄａ３に配置されている点で電子レンジ１と異なる。バッテリ取付部８Ｄは、図示しない一対のガイドレールが、前後方向に離間し、左右方向と平行に配置されている。表示操作部３Ｄは、扉２１Ｄの右側に配置されている。バッテリ取付部８Ｄをこのように配置することで、扉２１Ｄと異なる面に配置されているため、調理室に被調理物を出し入れする際に、電動工具用バッテリ１００を汚損することを抑制することができる。また、表示操作部３Ｄの上下方向の長さを長くすることができる。
【０１４０】  電子レンジ１Ｅは、バッテリ取付部８Ｅが、筐体２Ｅの右側面部の上部に形成された凹部２Ｅａ３に配置されている点で電子レンジ１Ｄと異なる。バッテリ取付部８Ｅは、図示しない一対のガイドレールが、前後方向に離間し、上下方向と平行に配置されている。
【０１４１】  電子レンジ１Ｆは、バッテリ取付部８Ｆが、筐体２Ｆの前側の右上部に形成された凹部２Ｆａ３に配置されている点で電子レンジ１と異なる。バッテリ取付部８Ｆは、図示しない一対のガイドレールが、左右方向に離間し、上下方向と平行に配置されている。バッテリ取付部８Ｆは、扉２１Ｆの右側に配置されている。バッテリ取付部８Ｆは、表示操作部３Ｆの上側に配置されている。表示操作部３Ｆは、扉２１Ｆの右側に配置されている。バッテリ取付部８Ｆをこのように配置することで、表示操作部３Ｆの上下方向の長さを長くすることができる。
【０１４２】  電子レンジ１Ｇは、バッテリ取付部８Ｇが、筐体２Ｇの前側の右上部に形成された凹部２Ｇａ３に配置されている点で電子レンジ１と異なる。バッテリ取付部８Ｇは、扉２１Ｇの右上側に配置されている。バッテリ取付部８Ｇは、表示操作部３Ｇの右側に配置されている。表示操作部３Ｇは、扉２１Ｇの上側に配置されている。バッテリ取付部８Ｇをこのように配置することで、表示操作部３Ｇの左右方向の長さを長くすることができる。
【０１４３】  筐体２は、外周を断熱材で覆ってもよい。断熱材は、例えば、ウレタン、真空断熱材素含む耐熱性を有する材料で形成されている。筐体２を断熱材で覆うことで、電子レンジ１は、さらに保温庫としての機能を有する。これにより、例えば、電子レンジ１の筐体２に収容した被調理物の温度変化を抑制することができる。または、筐体２を断熱性を有する材料で構成することによって、筐体２が断熱機能を有するようにしてもよい。または、筐体２の内側に断熱材を挿入可能な構成としてもよい。
【０１４４】  筐体２には、バッテリ取付部８に装着された電動工具用バッテリ１００のバッテリ残量を表示する残量表示部が配置されていてもよい。例えば、残量表示部は、バッテリ取付部８に電動工具用バッテリ１００が装着されている間、バッテリ残量を表示する。これにより、電動工具用バッテリ１００の残量を確認することができる。また、残量を確認することで、電子レンジ１を適切に使用することができる。
【０１４５】  筐体２には、バッテリ取付部８に装着された電動工具用バッテリ１００の診断結果を表示する診断表示部が配置されていてもよい。例えば、診断表示部は、バッテリ取付部８に電動工具用バッテリ１００が装着された状態で押下されると、電動工具用バッテリ１００の故障の有無を判定する。そして、診断表示部は、診断結果を表示する。これにより、電動工具用バッテリ１００の故障の有無を確認することができる。また、故障の有無を確認することで、電子レンジ１を適切に使用することができる。
【０１４６】  図３０に示すように、筐体２には、携帯用電子機器を充電する充電ケーブルが接続可能な機器接続部２４が配置されていてもよい。図３０は、電子レンジの他の例を示す斜視図である。機器接続部２４は、充電ケーブルの端子が接続可能である。機器接続部２４は、例えば、ＵＳＢ（Ｕｎｉｖｅｒｓａｌ  Ｓｅｒｉａｌ  Ｂｕｓ）端子の差込口である。機器接続部２４は、接続された充電ケーブルを介して、携帯用電子機器を充電する。端子２３にＡＣ電源に接続されたコンセント型の端子が接続されている場合、ＡＣ電源から携帯用電子機器を充電する。端子２３にＡＣ電源に接続されたコンセント型の端子が接続されていない場合、バッテリ取付部８に装着された電動工具用バッテリ１００から携帯用電子機器を充電してもよい。
【０１４７】  電子レンジ１は、工具箱２００の上に積み重ねるものとして説明したが、積み重ねる順番はこれに限定されない。電子レンジ１は、所望の順番で積み重ねることができるように、筐体２の上側に、工具箱２００と連結するために、ロック部材２０４と同様に構成されたロック部材を備えてもよい。電子レンジ１の上に工具箱２００を積み重ねてもよいし、工具箱２００の上に電子レンジ１を積み重ね、さらにその上に工具箱２００を積み重ねてもよい。これにより、電子レンジ１の携帯性を向上することができる。
【０１４８】  第三実施形態では、バッテリ取付部８Ｊは、右側面部２Ｊｅに配置されているものとして説明したが、これに限定されない。バッテリ取付部８Ｊは、扉２１Ｊが配置された前面部２Ｊａと下面部２Ｊｄとを除いた、後面部２Ｊｂと上面部２Ｊｃと右側面部２Ｊｅと左側面部２Ｊｆとのいずれに配置されてもよい。
【０１４９】  第五実施形態では、バッテリ取付部８Ｌは、装着された電動工具用バッテリ１００の下部が、筐体２Ｌの右側面部２Ｌｅより下方に突出する位置に配置されていてもよい。
【０１５０】  バッテリ取付部８に装着可能な電動工具用バッテリ１００の数は、上記に限定されず、１つでもよいし、複数でもよい。また、複数の電動工具用バッテリ１００は、直列に接続されてもよいし、並列に接続されてもよい。
【符号の説明】
【０１５１】  １…電子レンジ（携帯用電磁調理装置）、２…筐体、２ｃ…上面部、２１…扉、２２…ハンドル、２３…端子（接続部）、３…表示操作部、４…マグネトロン、４１…弾性体、５…給気孔（通気孔）、５１…防塵フィルタ（フィルタ）、６…排気孔（通気孔）、６１…防塵フィルタ（フィルタ）、７…被連結部、７１…係合凸部、８…バッテリ取付部、８１…ガイドレール、１０…コントローラ、１００…電動工具用バッテリ、１０１…スライドレール、２００…工具箱、２０１…本体部（他の筐体）、２０４…ロック部材（連結部）、２０５…被連結部、３００…トローリ。
【図１】
2018225626.tif 000003
【図２】
2018225626.tif 000004
【図３】
2018225626.tif 000005
【図４】
2018225626.tif 000006
【図５】
2018225626.tif 000007
【図６】
2018225626.tif 000008
【図７】
2018225626.tif 000009
【図８】
2018225626.tif 000010
【図９】
2018225626.tif 000011
【図１０】
2018225626.tif 000012
【図１１】
2018225626.tif 000013
【図１２】
2018225626.tif 000014
【図１３】
2018225626.tif 000015
【図１４】
2018225626.tif 000016
【図１５】
2018225626.tif 000017
【図１６】
2018225626.tif 000018
【図１７】
2018225626.tif 000019
【図１８】
2018225626.tif 000020
【図１９】
2018225626.tif 000021
【図２０】
2018225626.tif 000022
【図２１】
2018225626.tif 000023
【図２２】
2018225626.tif 000024
【図２３】
2018225626.tif 000025
【図２４】
2018225626.tif 000026
【図２５】
2018225626.tif 000027
【図２６】
2018225626.tif 000028
【図２７】
2018225626.tif 000029
【図２８】
2018225626.tif 000030
【図２９】
2018225626.tif 000031
【図３０】
2018225626.tif 000032
【国際調査報告】
2018225626.tif 000033
2018225626.tif 000034
2018225626.tif 000035
2018225626.tif 000036
2018225626.tif 000037